(57)【要約】【課題】筐体の側壁の内側への部材の取り付けがしやすい取付構造及びこれを備えた加熱調理器を提案する。【解決手段】本発明に係る取付構造は、底壁３２と底壁３２から上方に突出した複数の側壁３３とを有する筐体３と、複数の側壁３３のうちの１つの側壁３４の内側に固定され、電気部品が取り付けられる取付板４を備える。筐体３は、ガイド部５を有し、取付板４は、ガイド部５に摺接することのできるガイド面４０を有する。ガイド面４０は、取付板４が底壁３２に沿った所定方向に移動されたときに、ガイド部５に摺接しながら取付板４を上方に移動させ、取付板４を所定の固定位置へとガイドするように構成されている。本発明に係る加熱調理器は、上記の取付構造と、筐体３に設けられた加熱部を備える。【選択図】図４
2018105544.tif 000002
【特許請求の範囲】
【請求項１】
底壁と前記底壁から上方に突出した複数の側壁とを有する筐体と、
前記複数の側壁のうちの１つの側壁の内側に固定され、電気部品が取り付けられる取付板と、を備え、
前記筐体は、ガイド部を有し、
前記取付板は、前記ガイド部に摺接することのできるガイド面を有し、
前記ガイド面は、前記取付板が前記底壁に沿った所定方向に移動されたときに、前記ガイド部に摺接しながら前記取付板を上方に移動させ、前記取付板を所定の固定位置へとガイドするように構成されていることを特徴とする取付構造。
【請求項２】
前記電気部品は、前記筐体の外側に設置される電気機器と、前記筐体の内側に設置される電気機器とを電気的に接続するコネクタであることを特徴とする請求項１に記載の取付構造。
【請求項３】
前記ガイド部は、前記底壁に設けられた挿入孔であり、
前記ガイド面は、前記取付板から下方に突出した挿入部の端面であり、
前記ガイド面は、前記挿入部が前記挿入孔に挿入された状態で前記取付板が前記所定方向に移動されたときに、前記挿入孔の縁に摺接してガイドするように構成されていることを特徴とする請求項１または２に記載の取付構造。
【請求項４】
前記１つの側壁は、貫通孔をさらに有し、
前記取付板は、引掛け部をさらに有し、
前記引掛け部は、前記取付板が前記所定の固定位置にあるときに、前記１つの側壁の前記貫通孔の縁に引っ掛かるように構成されていることを特徴とする請求項１乃至３のいずれか一項に記載の取付構造。
【請求項５】
前記筐体は、前記１つの側壁から、前記筐体の内側に突出した載置片をさらに有し、
前記取付板は、前記所定の固定位置にあるときに、前記載置片に当たる固定片をさらに有し、
前記固定片が前記載置片に固定されることを特徴とする請求項１乃至４のいずれか一項に記載の取付構造。
【請求項６】
前記載置片は、下方に突出するフランジを含み、
前記固定片は、前記フランジが挿入される開口を含むことを特徴とする請求項５に記載の取付構造。
【請求項７】
請求項１乃至６のいずれか一項に記載の取付構造と、前記筐体に設けられた加熱部とを備えることを特徴とする加熱調理器。
【発明の詳細な説明】
【技術分野】
【０００１】
本発明は、取付構造及びこれを備えた加熱調理器に関する。
【背景技術】
【０００２】
特許文献１には、コネクタが取り付けられた薄厚の基板用ケースを、ねじ等を用いて、機器筐体の側壁の内面に取り付けた構造が記載されている。
【先行技術文献】
【特許文献】
【０００３】
【特許文献１】特開２０１２−９９６２３号公報
【発明の概要】
【発明が解決しようとする課題】
【０００４】
ところで、一般的な筐体では、各種の電気機器が収容されるため、筐体の側壁の内側にスペースが形成されにくい。そのため、一般的な筐体では、基板用ケース等の部材を、筐体の側壁の内側の所定の固定位置に配置するのに手間がかかり、筐体の側壁の内側への部材の取り付けが行いにくい。
【０００５】
上記事情に鑑みて、本発明は、筐体の側壁の内側への部材の取り付けがしやすい取付構造及びこれを備えた加熱調理器を提案することを、目的とする。
【課題を解決するための手段】
【０００６】
本発明に係る一態様の取付構造は、底壁と前記底壁から上方に突出した複数の側壁とを有する筐体と、前記複数の側壁のうちの１つの側壁の内側に固定され、電気部品が取り付けられる取付板と、を備える。
【０００７】
前記筐体は、ガイド部を有し、前記取付板は、前記ガイド部に摺接することのできるガイド面を有する。前記ガイド面は、前記取付板が前記底壁に沿った所定方向に移動されたときに、前記ガイド部に摺接しながら前記取付板を上方に移動させ、前記取付板を所定の固定位置へとガイドするように構成されている。
【０００８】
本発明に係る一態様の加熱調理器は、上記の取付構造と、前記筐体に設けられた加熱部とを備える。
【発明の効果】
【０００９】
本発明では、筐体の側壁の内側への部材の取り付けがしやすい取付構造及びこれを備えた加熱調理器を提案することができるという効果が得られる。
【図面の簡単な説明】
【００１０】
【図１】図１は、本発明に係る実施形態１の取付構造を備えた調理器を示す斜視図である。
【図２】図２は、同上の調理器を備えた調理台を示す斜視図である。
【図３】図３は、同上の調理台を示す側断面図である。
【図４】図４は、同上の取付構造を示す分解斜視図である。
【図５】図５は、図４のＡ部の拡大斜視図である。
【図６】図６は、図４のＢ部の拡大斜視図である。
【図７】図７は、図４のＣ部の拡大斜視図である。
【図８】図８は、同上の取付構造の施工手順を示す斜視図である
【図９】図９は、図８の次の施工手順を示す斜視図である。
【図１０】図１０は、図９の次の施工手順を示す斜視図であり、取付が完了した状態を示す図である。
【発明を実施するための形態】
【００１１】
（実施形態１）
図１には、本発明に係る実施形態１の取付構造を備えた加熱調理器１が示されている。加熱調理器１は、ビルドイン式のガス加熱調理器であり、図２に示す調理台１００のように、キッチンキャビネット２に組み込まれる。
【００１２】
加熱調理器１は、一方向に距離をおいて並ぶ複数のバーナー１０からなる加熱部１０１を備える。以下では、複数のバーナー１０が並ぶ方向を左右方向とし、この左右方向に対して平面視において直交する方向を前後方向として、各構成について説明する。各図において、矢印Ｘで示す方向が前方であり、矢印Ｙで示す方向が右方であり、矢印Ｚで示す方向が上方である。
【００１３】
図２及び図３に示すように、キッチンキャビネット２は、上方に開口した箱状のキャビネット本体２０と、キャビネット本体２０の上開口を塞ぐカウンター２１とを備える。カウンター２１には、その中央部に開口が設けられており、この開口を塞ぐように加熱調理器１が組み込まれている。
【００１４】
図１に示すように、加熱調理器１は、その外郭をなす筐体３と、筐体３の内側に固定される取付板４と、加熱調理器１を操作するための操作器１１と、加熱調理器１の電源スイッチ１２とをさらに備える。図２及び図３に示すように、操作器１１は、キャビネット本体２０の上端部の前端部分に、前方に引き出し自在に取り付けられる。電源スイッチ１２は、キャビネット本体２０の上端部の前端部分に、操作器１１に対して左右方向に並ぶように取り付けられる。
【００１５】
図１に示すように、筐体３は、上方に開口した平面視矩形の箱型のケース３０と、ケース３０上に取り付けられて、ケース３０の上開口を塞ぐトッププレート３１とを備える。トッププレート３１には、左右方向に距離をおいて並ぶ複数の開口が設けられており、各開口からバーナー１０のバーナーヘッド１３が上方に突出している。このように各バーナー１０（つまり加熱部１０１）は、トッププレート３１を上下方向に貫通するように、筐体３に設けられる。図２及び図３に示すように、加熱調理器１は、トッププレート３１とカウンター２１の上面同士が略面一となるように、キッチンキャビネット２に組み込まれる。加熱調理器１は、各バーナーヘッド１３を囲むように配される五徳１４をさらに備える。
【００１６】
加熱調理器１はさらに、筐体３の内側に設置される制御器を備える。制御器は、各バーナー１０に設けられた点火プラグや温度センサ等の電気機器に電気的に接続され、これらの電気機器を制御する。
【００１７】
図１及び図３に示すように、ケース３０は、底壁３２と、底壁３２から上方に突出した複数の側壁３３とを有する。複数の側壁３３は、ケース３０の前面を構成する前側の側壁３４と、ケース３０の後面を構成する後側の側壁３５と、ケース３０の左右の面を構成する左右の側壁３６とを含む。取付板４は、前側の側壁３４の内側（つまり後側）に固定される。取付板４は、側壁３４の内側の所定の固定位置に配された状態で、側壁３４に対して固定される。
【００１８】
図４には、本実施形態の取付構造が詳細に示されている。筐体３は、取付板４を筐体３の所定の固定位置へとガイドするためのガイド部５を有する。取付板４は、ガイド部５に摺接することのできるガイド面４０を有する。ガイド面４０は、取付板４が底壁３２に沿った所定方向（本実施形態では左方）に移動されたときに、ガイド部５に摺接しながら取付板４を上方に移動させ、取付板４を所定の固定位置へとガイドするように構成されている。
【００１９】
まず、ガイド部５を有する筐体３についてさらに詳しく説明する。
【００２０】
前側の側壁３４は、左右方向に長い板状の部材である。側壁３４は、側壁３４を前後方向に貫通する複数の貫通孔３７と、側壁３４から筐体３の内側（つまり後方）に突出した複数の載置片３８と、側壁３４の各貫通孔３７の上縁から下方に突出した複数の引掛かり片３９を有する。
【００２１】
複数の貫通孔３７のそれぞれは、左右方向に長い略矩形の孔である。複数の貫通孔３７は、左から右へ並ぶ、第一貫通孔３７０、第二貫通孔３７１、及び第三貫通孔３７２をこの順に含む。貫通孔３７０，３７１，３７２は、左右方向に互いに距離をおいて並ぶ。
【００２２】
複数の載置片３８のそれぞれは、略矩形板状である。複数の載置片３８は、左から右へ並ぶ、第一載置片３８０、第二載置片３８１、及び第三載置片３８２をこの順に含む。載置片３８０，３８１，３８２は、左右方向に互いに距離をおいて並んでいる。載置片３８０，３８１，３８２のそれぞれは、バーナー１０を支持するバーナー台（図示せず）の前端部の支持及び固定に用いられる。
【００２３】
第一載置片３８０は、側壁３４のうち第一貫通孔３７０の左端部の上縁から若干上方に離れた部分から後方に突出している。第二載置片３８１は、側壁３４のうち第一貫通孔３７０の右寄りの部分の上縁から後方に突出している。第三載置片３８２は、側壁３４のうち第三貫通孔３７２の右寄りの部分の上縁から後方に突出している。
【００２４】
載置片３８０，３８１，３８２のそれぞれは、上下方向に貫通するねじ孔３８３と、下方に突出する円筒状のフランジ３８４（図５参照）とを有する。各フランジ３８４は、載置片３８０，３８１，３８２に例えばバーリング加工を施すことによって形成される。各フランジ３８４の内周面は、螺旋状の溝が形成されて、ねじ孔３８３の一部を構成している。第二載置片３８１は、取付板４との固定に用いられる円孔状の固定孔３８５をさらに有する。
【００２５】
複数の引掛かり片３９のそれぞれは、略矩形板状である。複数の引掛かり片３９は、左から右へ並ぶ、第一引掛かり片３９０、第二引掛かり片３９１、第三引掛かり片３９２、及び第四引掛かり片３９３をこの順に含む。引掛かり片３９０，３９１，３９２，３９３は、左右方向に互いに距離をおいて並んでいる。
【００２６】
第一引掛かり片３９０は、側壁３４のうち第一貫通孔３７０の上縁の左寄りの部分から下方に突出している。左右方向において、第一引掛かり片３９０は、第一載置片３８０と第二載置片３８１の間に位置する。第二引掛かり片３９１は、側壁３４のうち第二貫通孔３７１の上縁の左端から下方に突出している。第二引掛かり片３９１は、側壁３４のうち第二貫通孔３７１の左縁に対しても一体である。
【００２７】
第三引掛かり片３９２は、側壁３４のうち第三貫通孔３７２の上縁の左端から下方に突出している。第三引掛かり片３９２は、側壁３４のうち第三貫通孔３７２の左縁に対しても一体である。第四引掛かり片３９３は、側壁３４のうち第三貫通孔３７２の上縁の右寄りの部分から下方に突出している。左右方向において、第三引掛かり片３９２と第四引掛かり片３９３との間に、第三載置片３８２が位置する。引掛かり片３９０，３９１，３９２，３９３のそれぞれは、側壁３４の貫通孔３７０，３７１，３７２の縁の一部を構成している。
【００２８】
底壁３２は、複数の挿入孔６を有する。複数の挿入孔６のそれぞれは、底壁３２を上下方向に貫通している。複数の挿入孔６は、左から右へ並ぶ、第一挿入孔６０、第二挿入孔６１、第三挿入孔６２、及び第四挿入孔６３をこの順に含む。挿入孔６０，６１，６２，６３は、左右方向に互いに距離をおいて並んでいる。
【００２９】
複数の挿入孔６（つまり挿入孔６０，６１，６２，６３）は、形状及び大きさが互いに同じである。挿入孔６は、左右方向に長い孔である。図６に示すように、挿入孔６は、前後方向の巾が互いに異なる、幅狭部６４、中間部６５、及び幅広部６６を、この順に左から右へ有する。挿入孔６は、前後方向の巾が、幅狭部６４において最小であり、中間部６５では右側ほど大きく、幅広部６６において最大である。挿入孔６の後縁は、幅狭部６４の後縁と幅広部６６の後縁が、互いに平行であり、中間部６５の後縁が、右側ほど後方に位置するように傾いている。側壁３４は、その下端部に各挿入孔６に連通する拡張孔６７をさらに有する。
【００３０】
本実施形態においては、上述した複数の挿入孔６０，６１，６２，６３のそれぞれが、筐体３が有するガイド部５を構成している。
【００３１】
続いて、ガイド面４０を有する取付板４についてさらに詳しく説明する。
【００３２】
図１に示すように、取付板４は、電気部品４１が取り付けられる板体であり、金属製である。電気部品４１は、本実施形態では、複数のコネクタ４２である。各コネクタ４２は、筐体３の外側に設置される電気機器（操作器１１、電源スイッチ１２等）と、筐体３の内側に設置される電気機器（制御器等）とを電気的に接続する。各コネクタ４２は、取付板４を前後方向に貫通するように取り付けられている。
【００３３】
図４に示すように、取付板４は、略矩形板状の本体部４３と、前方に開口した略矩形の箱部４４とを有する。本体部４３には、コネクタ４２が取り付けられる複数の接続口４５が設けられている。
【００３４】
取付板４は、本体部４３から下方に突出した複数の挿入部７と、本体部４３から下方に突出した複数の載置部８と、本体部４３及び箱部４４から前方に突出した複数の引掛け部９と、本体部４３の上端から後方に突出した固定片１５をさらに有する。
【００３５】
複数の挿入部７は、左から右へ並ぶ、第一挿入部７０、第二挿入部７１、及び第三挿入部７２をこの順に含む。挿入部７０，７１，７２は、左右方向に互いに距離をおいて並んでいる。複数の挿入部７は、共通の構造を備える。
【００３６】
図７に示すように、挿入部７は、本体部４３の下端から下方に突出した板状の突片部７３と、突片部７３の先端（下端）から突出した矩形板状の補強片７４と、突片部７３の右端から突出した矩形板状の補強片７５を有する。
【００３７】
突片部７３は、挿入孔６よりも左右方向に長い片である。突片部７３は、左右方向の部分ごとに、下方への突出長さが互いに異なる。突片部７３の下面７６は、上下位置が互いに異なる、第一下面７６０、第二下面７６１、第三下面７６２、及び第四下面７６３を、この順に左から右へ有する。
【００３８】
第一下面７６０、第三下面７６２、及び第四下面７６３は、互いに平行である。第一下面７６０よりも第三下面７６２が上方に位置し、第三下面７６２よりも第四下面７６３が上方に位置する。第二下面７６１は、右側ほど下方に位置するように傾斜している。
【００３９】
第一下面７６０と第二下面７６１とが連続しており、第二下面７６１と第三下面７６２とが連続しており、第三下面７６２と第四下面７６３とが略鉛直な起立面７６４を介して連続している。
【００４０】
補強片７４は、突片部７３の第四下面７６３から後方に突出しており、第四下面７６３は、補強片７４で覆われている。補強片７５は、突片部７３の右の側面７６５から後方に突出している。補強片７５の上面は、第一下面７６０よりも若干上方に位置し、補強片７５の下面は、第四下面７６３と同じ高さ位置である。補強片７４と補強片７５とは、略直角に並んでいる。
【００４１】
補強片７４と補強片７５とは、前後方向の長さが互いに同じである。補強片７４の前後方向の長さ（つまり突片部７３の前面から補強片７４の後面までの長さ）、及び補強片７５の前後方向の長さ（つまり突片部７３の前面から補強片７５の後面までの長さ）は、挿入孔６の幅狭部６４の前後方向の長さと同じか、それよりも僅かに小さい。
【００４２】
図４に示すように、複数の載置部８は、その下面が、各挿入部７の突片部７３の第一下面７６０と同じ上下位置に位置する。複数の載置部８は、本実施形態では、３つの載置部８で構成される。複数の載置部８は、本体部４３の下端に、載置部８と挿入部７とが左右方向に１つずつ交互に並ぶように配される。
【００４３】
複数の引掛け部９は、左から右へ並ぶ、第一引掛け部９０、第二引掛け部９１、第三引掛け部９２、及び第四引掛け部９３をこの順に含む。引掛け部９０，９１，９２，９３は、左右方向に互いに距離をおいて並んでいる。複数の引掛け部９は、形状及び大きさが互いに同一である。
【００４４】
引掛け部９は、側面視略Ｌ字状である。引掛け部９は、本体部４３または箱部４４から前方に突出した横片部と、横片部の前端から上方に突出した縦片部を有する。縦片部は、本体部４３よりも、側壁３４の厚み分だけ前方に位置している。
【００４５】
第一引掛け部９０は、箱部４４の上端の右端部に設けられている。第二引掛け部９１、第三引掛け部９２、及び第四引掛け部９３は、本体部４３の上端に設けられている。
【００４６】
固定片１５は、板状である。固定片１５には、円孔状の固定孔１５０と、矩形孔状の開口１５１が設けられている。固定孔１５０と開口１５１のそれぞれは、固定片１５を上下方向に貫通している。開口１５１は、左右方向に長い矩形孔状である。
【００４７】
本実施形態においては、挿入部７０，７１，７２のそれぞれの端面の一部を構成する第二下面７６１が、取付板４が有するガイド面４０を構成している。
【００４８】
続いて、筐体３に対して取付板４を取り付ける施工手順の一例について説明する。
【００４９】
まず、図８に示すように、取付板４を、側壁３４から突出した各載置片３８を避けるように、側壁３４に対して傾けながら、取付板４の各挿入部７を、底壁３２の各挿入孔６に挿入する。このとき、各挿入部７の下部（第一下面７６０よりも下側の部分）が、各挿入孔６に挿入され、補強片７５が、各挿入孔６の幅広部６６内に配される。各挿入部７は、側壁３４の下端部の拡張孔６７（図６参照）内を介して各挿入孔６内に挿入可能である。
【００５０】
次いで、図９に示すように、取付板４を側壁３４に対して平行にして、各挿入部７の第一下面７６０と各載置部８の下面とを、底壁３２の上面に載せる。
【００５１】
次いで、取付板４を左方に移動させる。このとき、各挿入部７の傾斜した第二下面７６１（つまりガイド面４０）が、各挿入孔６の幅狭部６４の左縁に摺接しながら、取付板４が左方に移動されることによって、取付板４が上方に移動されて、取付板４が所定の固定位置へとガイドされる。
【００５２】
取付板４が所定の固定位置にあるとき、図１０に示すように、各挿入部７の第三下面７６２が底壁３２の上面に載り、各挿入部の起立面７６４（図７参照）が各挿入孔６の幅狭部６４の左縁に当たり、取付板４の固定片１５の上面が側壁３４の第二載置片３８１の下面に当たる。このとき、取付板４は、第二載置片３８１と底壁３２とで挟まれ、上下位置が定まる。またこのとき、取付板４の各引掛け部９の縦片部が、側壁３４の各貫通孔３７の縁の各引掛かり片３９の外側（前側）に位置して引っ掛かる。またこのとき、各挿入孔６の幅狭部６４内に各挿入部７の補強片７５が位置することで、各幅狭部６４の後縁によって各挿入部７の後方への位置ずれが規制される。またこのとき、第二載置片３８１から下方に突出したフランジ３８４は、取付板４の固定片１５の開口１５１に収まる。
【００５３】
次いで、側壁３４の第二載置片３８１の固定孔３８５と、所定の固定位置にある取付板４の固定片１５の固定孔１５０に、上方からねじ等の固定具１６を打ち込んで、取付板４を側壁３４に対して固定する。
【００５４】
例えば上述した施工手順によって、取付板４は筐体３の側壁３４に対して取り付けられる。
【００５５】
以上説明した本実施形態の取付構造では、取付板４の各挿入部７を、筐体３の底壁３２の各挿入孔６に挿入して側壁３４に沿わせ、この状態で、取付板４を側壁３４に沿って所定方向に移動させるだけで、取付板４を所定の固定位置へと移動させることができる。
【００５６】
そのため、本実施形態の取付構造では、筐体３の側壁３４の内側のスペースが狭くても、取付板４を側壁３４の内側の所定の固定位置へと配置しやすく、取付板４の側壁３４への固定が行いやすい。
【００５７】
また、本実施形態の取付構造では、取付板４が所定の固定位置にあるときに、側壁３４から突出した載置片３８（第二載置片３８１）に固定片１５が当たり、載置片３８と底壁３２との間に取付板４が挟まれる。
【００５８】
そのため、本実施形態の取付構造では、バーナー台等を設置するための載置片３８を、取付板４の位置決めにも用いることができて、所定の固定位置への配置がしやすい。
【００５９】
また、本実施形態の取付構造では、所定の固定位置において、取付板４を載置片３８と底壁３２とで挟み込むことができ、さらに取付板４の各引掛け部９を側壁３４の各貫通孔３７の縁の各引掛かり片３９に引っ掛けることができる。
【００６０】
そのため、本実施形態の取付構造では、所定の固定位置において、取付板４を側壁３４に対して仮固定することができ、ねじ等の固定具１６で取付板４を側壁３４に固定する際に、取付板４の位置ずれが起こりにくい。
【００６１】
また、本実施形態の取付構造では、第二載置片３８１からフランジ３８４が下方に突出しているものの、固定片１５にフランジ３８４が挿通される開口１５１を設けているため、取付板４を所定の固定位置へと移動させ、固定片１５を第二載置片３８１に当てる際に、フランジ３８４が取付板４の移動の邪魔になることを抑制することができる。
【００６２】
また、本実施形態の取付構造では、各挿入部７の各突片部７３の先端部に補強片７４，７５を設けることで、各突片部７３の先端部の補強を図ることができる。
【００６３】
また、本実施形態の取付構造では、底壁３２に設けた挿入孔６を、幅広部６６と中間部６５と幅狭部６４とを有する形状としたことで、各挿入孔６への各挿入部７の挿入を、幅広部６６を介して行うことができて、取付板４を斜めに傾けた状態でも、各挿入孔６への各挿入部７の挿入が行いやすい。
【００６４】
また、本実施形態の取付構造では、取付板４を左方に移動させる際には、中間部６５及び幅狭部６４の後縁がガイドとなって、挿入部７の後方への位置ずれを抑制でき、取付板４を側壁３４に沿わせて移動させやすい。
【００６５】
また、本実施形態の取付構造では、取付板４が所定の固定位置に移動した状態では、各挿入部７の補強片７５の後方への移動を各挿入孔６の幅狭部６４の後縁によって規制することができ、取付板４の下端部が所定の固定位置から後方に位置ずれを起こすことを抑制することができる。
【００６６】
また、本実施形態の取付構造では、側壁３４の下端部に設けた拡張孔６７を介して各挿入孔６内へと各挿入部７を挿入することができるため、取付板４を傾けた姿勢でも、各挿入部７の各挿入孔６への挿入が行いやすい。
【００６７】
（変更例）
続いて、上述した実施形態１の取付構造の変更例について説明する。
【００６８】
筐体３のケース３０は、本実施形態のような平面視矩形の箱型に限らず、平面視形状がその他の形の箱型であってもよく、すなわち、筐体３が有する複数の側壁３３の数は、４以外でもよい。
【００６９】
取付板４に取り付けられる電気部品４１は、コネクタ４２以外の電気部品でもよい。
【００７０】
取付構造は、取付板４が有するガイド面４０が、取付板４が所定方向に移動されたときに、筐体３が有するガイド部５に摺接しながら取付板４を上方に移動させ、取付板４を所定の固定位置へとガイドするように構成されていればよく、ガイド部５とガイド面４０は、上述した挿入孔６と挿入部７の組み合わせ以外で構成されてもよい。例えば、取付板４にガイド面４０を孔縁に有する孔を設け、側壁３４にガイド部５を構成する突起を設けて、取付板４が所定の固定位置へとガイドされるようにしてもよい。
【００７１】
取付構造は、側壁３４が貫通孔３７及び引掛かり片３９を有さず、かつ取付板４が引掛け部９を有さなくてもよい。
【００７２】
取付構造は、筐体３が載置片３８を有さず、かつ取付板４が固定片１５を有さなくてもよい。この場合、例えば、取付板４は、側壁３４に対して、側壁３４の外側（前側）から打ち込んだねじ等の固定具によって固定されてもよい。
【００７３】
取付構造は、載置片３８がフランジ３８４を有さず、かつ固定片１５が開口１５１を有さなくてもよい。
【００７４】
載置片３８は、バーナー台の支持及び固定に用いるものに限らず、固定片１５を固定するための専用のものであってもよい。
【００７５】
加熱部１０１を構成するバーナー１０の数は、複数に限らず、１つであってもよい。
【００７６】
（効果）
以上説明した実施形態１の取付構造は、下記の第一の構成を具備することを特徴とする。
【００７７】
すなわち、実施形態１の取付構造は、底壁３２と底壁３２から上方に突出した複数の側壁３３とを有する筐体３と、複数の側壁３３のうちの１つの側壁３４の内側に固定され、電気部品４１が取り付けられる取付板４と、を備える。
【００７８】
筐体３は、ガイド部５を有し、取付板４は、ガイド部５に摺接することのできるガイド面４０を有する。ガイド面４０は、取付板４が底壁３２に沿った所定方向に移動されたときに、ガイド部５に摺接しながら取付板４を上方に移動させ、取付板４を所定の固定位置へとガイドするように構成されている。
【００７９】
実施形態１の取付構造では、筐体３の側壁３４の内側に取付板４を配置し、取付板４を底壁３２に沿った所定方向に移動させたときに、取付板４が有するガイド面４０が、筐体３が有するガイド部５に摺接しながら取付板４を上方に移動させ、取付板４を所定の固定位置へとガイドすることができる。そのため、実施形態１の取付構造では、筐体３の側壁３４の内側の所定の固定位置への取付板４の配置が容易であり、側壁３４の内側への取付板４の取り付けがしやすい。
【００８０】
また、実施形態１の取付構造は、上記の第一の構成に加えて、下記の第二の構成を付加的に具備する。
【００８１】
すなわち、実施形態１の取付構造では、電気部品４１は、筐体３の外側に設置される電気機器と、筐体３の内側に設置される電気機器とを電気的に接続するコネクタ４２である。
【００８２】
実施形態１の取付構造では、側壁３４の内側への取付板４の取り付けがしやすいうえに、取付板４をコネクタ４２付きの中継板として利用することができる。
【００８３】
また、実施形態１の取付構造は、上記の第一の構成、または第一及び第二の構成に加えて、下記の第三の構成を付加的に具備する。
【００８４】
すなわち、実施形態１の取付構造では、ガイド部５は、底壁３２に設けられた挿入孔６であり、ガイド面４０は、取付板４から下方に突出した挿入部７の端面（第二下面７６１）である。ガイド面４０は、挿入部７が挿入孔６に挿入された状態で取付板４が前記所定方向に移動されたときに、挿入孔６の縁に摺接してガイドするように構成されている。
【００８５】
実施形態１の取付構造では、側壁３４の内側への取付板４の配置を、取付板４の挿入部７を筐体３の底壁３２の挿入孔６へ挿入した後、取付板４を所定方向に移動させるといった簡単な方法で行うことができる。
【００８６】
また、実施形態１の取付構造は、上記の第一乃至第三の構成の各組み合わせに加えて、下記の第四の構成を付加的に具備する。
【００８７】
すなわち、実施形態１の取付構造では、１つの側壁３４は、貫通孔３７をさらに有し、取付板４は、引掛け部９をさらに有する。引掛け部９は、取付板４が所定の固定位置にあるときに、１つの側壁３４の貫通孔３７の縁（引掛かり片３９）に引っ掛かるように構成されている。
【００８８】
実施形態１の取付構造では、取付板４が所定の固定位置にあるときに、引掛け部９を側壁３４の貫通孔３７の縁に引掛けることができるため、取付板４を所定の固定位置に保持しやすく、ねじ等の固定具で取付板４を側壁３４に対して固定する施工が行いやすい。
【００８９】
また、実施形態１の取付構造は、上記の第一乃至第四の構成の各組み合わせに加えて、下記の第五の構成を付加的に具備する。
【００９０】
すなわち、実施形態１の取付構造では、筐体３は、１つの側壁３４から、筐体３の内側に突出した載置片３８をさらに有し、取付板４は、所定の固定位置にあるときに、載置片３８に当たる固定片１５をさらに有し、固定片１５が載置片３８に固定される。
【００９１】
実施形態１の取付構造では、筐体３内に設置されるバーナー台等の載置に用いることのできる載置片３８を、取付板４の所定の固定位置への位置決め片として利用することができ、さらに、この載置片３８を取付板４の側壁３４への固定に用いることができる。
【００９２】
また、実施形態１の取付構造は、上記の第一乃至第五の構成の各組み合わせに加えて、下記の第六の構成を付加的に具備する。
【００９３】
すなわち、実施形態１の取付構造では、載置片３８は、下方に突出するフランジ３８４を含み、固定片１５は、フランジ３８４が挿入される開口１５１を含む。
【００９４】
実施形態１の取付構造では、載置片３８が下方に突出するフランジ３８４を含むことで、載置片３８に形成するねじ孔の長さが確保しやすい。また、実施形態１の取付構造では、載置片３８のフランジ３８４を、固定片１５の開口１５１に挿入することができるため、固定片１５を載置片３８に当てるときに、フランジ３８４が邪魔になりにくい。
【００９５】
また、実施形態１の加熱調理器１は、上記の第一乃至第六の構成の各組み合わせのうちいずれか１つの取付構造と、筐体３に設けられた加熱部１０１とを備える。
【００９６】
実施形態１の加熱調理器１では、加熱部１０１に接続される各種の機器が筐体３内に収容されて、筐体３の側壁３４の内側のスペースが狭い場合でも、側壁３４の内側の所定の固定位置への取付板４の配置が容易であり、側壁３４の内側への取付板４の取り付けがしやすい。
【００９７】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００９８】
３      筐体
３２    底壁
３３    側壁
３４    側壁（前側の側壁）
３７    貫通孔
３８    載置片
３８４  フランジ
４      取付板
４０    ガイド面
４１    電気部品
４２    コネクタ
５      ガイド部
６      挿入孔
７      挿入部
９      引掛け部
１５    固定片
１５１  開口
１０１  加熱部
【図１】
2018105544.tif 000003
【図２】
2018105544.tif 000004
【図３】
2018105544.tif 000005
【図４】
2018105544.tif 000006
【図５】
2018105544.tif 000007
【図６】
2018105544.tif 000008
【図７】
2018105544.tif 000009
【図８】
2018105544.tif 000010
【図９】
2018105544.tif 000011
【図１０】
2018105544.tif 000012